(57)【要約】【課題】アイアン型ゴルフクラブ用ヘッドにおいて、一つのヘッドに目的に合わせた摩擦係数の異なる複数種類の表面処理を行なうことで、ヘッドにおける部分的な役割をさらに向上させる。【解決手段】打球時にボールと接触するフェース部分と、地面と接触するソール部分とを有するアイアン型ゴルフクラブ用ヘッドであって、フェース部分は、スピン性能を求めた高摩擦係数の表面処理が施され、ソール部分は、滑りやすく傷付きにくい要素を求めた低摩擦係数の表面処理が施されている。またフェース部分は、高摩擦係数の表面処理として無電解ニッケル黒染処理が施され、ソール部分は、低摩擦係数の表面処理としてクロムめっき処理が施されている。【選択図】図１
0003149719.tif 000002
【実用新案登録請求の範囲】
【請求項１】
打球時にボールと接触するフェース部分と、地面と接触するソール部分とを有するアイアン型ゴルフクラブ用ヘッドであって、
前記フェース部分は、スピン性能を求めた高摩擦係数の表面処理が施され、
前記ソール部分は、滑りやすく傷付きにくい要素を求めた低摩擦係数の表面処理が施されていることを特徴とするアイアン型ゴルフクラブ用ヘッド。
【請求項２】
請求項１記載のアイアン型ゴルフクラブ用ヘッドにおいて、
前記フェース部分の摩擦係数は、下限値を０．１０、上限値を０．５０として平均値を０．２６５〜０．２７０とされ、
前記ソール部分の摩擦係数は、下限値を０．１０、上限値を０．３０として平均値を０．１９３〜０．１９８とされていることを特徴とするアイアン型ゴルフクラブ用ヘッド。
【請求項３】
請求項１または２記載のアイアン型ゴルフクラブ用ヘッドにおいて、
前記フェース部分は、高摩擦係数の表面処理として無電解ニッケル黒染処理が施され、
前記ソール部分は、低摩擦係数の表面処理としてクロムめっき処理が施されていることを特徴とするアイアン型ゴルフクラブ用ヘッド。
【考案の詳細な説明】
【技術分野】
【０００１】
本考案は、アイアン型ゴルフクラブ用ヘッドの改良に関するものである。
【背景技術】
【０００２】
従来技術としては、装飾、部分的な目的に合わせた表面処理は行なわれておらず、表面処理を剥がす、もしくは付けないなどでの装飾の目的でしかないクラブが多い。ウエッジで例えると、フェース面にはスピン性能が高い表面処理を行なっていても、地面（芝、砂場）と接触するソール部分において抵抗の少ない表面処理がなされているゴルフクラブはない。抵抗、摩擦についての部分的な表面処理の設計は皆無である。
【先行技術文献】
【特許文献】
【０００３】
【特許文献１】特開２００８−２０００８１号公報
【考案の概要】
【考案が解決しようとする課題】
【０００４】
本考案は以上の点に鑑みて、一つのゴルフクラブ用ヘッドに、目的に合わせた摩擦係数の異なる複数種類の表面処理を行なうことで、ゴルフクラブ用ヘッドにおける部分的な役割をさらに向上させることを目的とする。
【課題を解決するための手段】
【０００５】
上記目的を達成するため、本考案の請求項１によるアイアン型ゴルフクラブ用ヘッドは、打球時にボールと接触するフェース部分と、地面と接触するソール部分とを有するアイアン型ゴルフクラブ用ヘッドであって、前記フェース部分は、スピン性能を求めた高摩擦係数の表面処理が施され、前記ソール部分は、滑りやすく傷付きにくい要素を求めた低摩擦係数の表面処理が施されていることを特徴とする。
【０００６】
また、本考案の請求項２によるアイアン型ゴルフクラブ用ヘッドは、上記した請求項１記載のアイアン型ゴルフクラブ用ヘッドにおいて、前記フェース部分の摩擦係数は、下限値を０．１０、上限値を０．５０として平均値を０．２６５〜０．２７０とされ、前記ソール部分の摩擦係数は、下限値を０．１０、上限値を０．３０として平均値を０．１９３〜０．１９８とされていることを特徴とする。
【０００７】
また、本考案の請求項３によるアイアン型ゴルフクラブ用ヘッドは、上記した請求項１または２記載のアイアン型ゴルフクラブ用ヘッドにおいて、前記フェース部分は、高摩擦係数の表面処理として無電解ニッケル黒染処理が施され、前記ソール部分は、低摩擦係数の表面処理としてクロムめっき処理が施されていることを特徴とする。
【０００８】
一つのゴルフクラブ用ヘッドに目的に合わせた摩擦係数の異なる複数種類の表面処理を行ない、具体的には、スピン性能を求めた高摩擦係数の表面処理をフェース部分に施すとともに滑りやすく傷付きにくい要素を求めた低摩擦係数の表面処理をソール部分に施すと、一つのヘッドにおいて、フェース部分にて優れたスピン性能を獲得することが可能となり、ソール部分にて滑りやすく傷付きにくい特性を獲得することが可能となる。
【０００９】
本願考案者らが行なった試験によると、フェース部分の摩擦係数は、下限値を０．１０、上限値を０．５０として平均値を０．２６５〜０．２７０の大きさに設定するのが好適であり、この数値は、高摩擦係数の表面処理として例えば無電解ニッケル黒染処理を施すことにより実現される。
【００１０】
また、ソール部分の摩擦係数は、下限値を０．１０、上限値を０．３０として平均値を０．１９３〜０．１９８の大きさに設定するのが好適であり、この数値は、低摩擦係数の表面処理として例えばクロムめっき処理を施すことにより実現される。
【００１１】
また、本考案の上記特性を特に有効に活かすためには、ヘッドはウエッジなどアイアン限定で、ロフト角は４５度以上のものが好ましい。
【考案の効果】
【００１２】
以上説明したように本考案によれば、一つのヘッドにおいて、フェース部分にて優れたスピン性能を獲得し、併せて同時に、ソール部分にて滑りやすく傷付きにくい特性を獲得することができる。したがって本考案所期の目的どおり、一つのヘッドに目的に合わせた摩擦係数の異なる複数種類の表面処理を行なうことによって、ゴルフクラブ用ヘッドにおける部分的な役割をさらに向上させることができる。
【図面の簡単な説明】
【００１３】
【図１】本考案の実施例に係るアイアン型ゴルフクラブ用ヘッドを示す図で、同図（Ａ）はその正面図、同図（Ｂ）はその底面図
【図２】表面処理を施していない一般のヘッド表面の摩擦係数を示すグラフ図
【図３】本考案の実施例に係るヘッドにおいてフェース部分に設定する摩擦係数を示すグラフ図
【図４】本考案の実施例に係るヘッドにおいてソール部分に設定する摩擦係数を示すグラフ図
【図５】本考案の他の実施例に係るアイアン型ゴルフクラブ用ヘッドを示す図で、同図（Ａ）はその正面図、同図（Ｂ）はその底面図
【考案を実施するための形態】
【００１４】
つぎに本考案の実施例を図面にしたがって説明する。
【００１５】
図１は、本考案の実施例に係るアイアン型ゴルフクラブ用ヘッド１を示しており、同図（Ａ）はその正面図、同図（Ｂ）はその底面図をそれぞれ示している。
【００１６】
当該実施例に係るヘッド１は、ヘッド本体２およびシャフト（図示せず）を連結するためのホーゼル部分３を一体に有している。ヘッド本体２は、打球時にボールと接触する打球面を構成するフェース部分（フェース面）４、打球時に地面と接触する接地面を構成するソール部分（ソール面）５および背面６を有しており、このうちのフェース部分４に、スピン性能を求めた低硬度・高摩擦係数の表面処理（以下、「高摩擦表面処理」とも称する）が施されるとともに、ソール面５に、滑りやすく傷付きにくい要素を求めた高硬度・低摩擦係数の表面処理（以下、「低摩擦表面処理」とも称する）が施されている。
【００１７】
図２のグラフ図に示すように、表面処理を施していないアイアン型ゴルフクラブ用ヘッドの表面の摩擦係数は、下限値を０．１０、上限値を０．４５として平均値０．２１７前後（平均コア値：０．２１７１５、摺動時間：０〜１２０秒の間）が一般であるところ、当該ヘッド１では図３のグラフ図に示すように、フェース部分４の摩擦係数は、下限値を０．１０、上限値を０．５０として平均値を０．２６５〜０．２７０（平均コア値：０．２６８６４、摺動時間：０〜１２０秒の間）とされ、この数値は、表面処理の具体的手段として、無電解ニッケル黒染処理（無電解Ｎｉ黒染処理）が施されることにより実現されている。
【００１８】
また、図４のグラフ図に示すように、ソール部分５の摩擦係数は、下限値を０．１０、上限値を０．３０として平均値を０．１９３〜０．１９８（平均コア値：０．１９５７、摺動時間：０〜１２０秒の間）とされ、この数値は、表面処理の具体的手段として、クロムめっき処理（Ｃｒめっき処理）が施されることにより実現されている。
【００１９】
また、背面６には、ヘッド１の重量やバランスを調整するためのもしくは装飾のための凹部７が設けられている。
【００２０】
尚、ソール部分５は全体としてヘッド幅方向（図では左右方向）中央が下向き凸の曲面状をなしているので、このうち接地確率の高い部位のみに低摩擦表面処理が施されており、この低摩擦表面処理が施された部位（低摩擦表面処理部８）は装飾的効果を兼ねてヘッド本体２の背面６（凹部７を含む）にまで及んでいる。また、ヘッド１の全表面のうち上記低摩擦表面処理部８以外の面はすべて高摩擦表面処理が施された部位（高摩擦表面処理部９）とされているが、背面６やホーゼル部分３など機能的に許容される部位には、いずれの表面処理も施されていない第３の領域を設定するようにしても良い。また図では、両処理部８，９の配置ないし境界が判りにくいことから、低摩擦表面処理部８に細かな点模様を付して描いている。
【００２１】
上記構成のヘッド１においては、フェース部分４にスピン性能を求めた高摩擦の表面処理が施されるとともにソール部分５に滑りやすく傷付きにくい要素を求めた低摩擦の表面処理が施され、これによりフェース部分４に高摩擦表面処理部９が設けられるとともにソール部分５に低摩擦表面処理部８が設けられているために、一つのヘッド１において、フェース部分４にて優れたスピン性能を獲得することができ、ソール部分５にて滑りやすく傷付きにくい特性を獲得することができる。したがって、一つのヘッド１に目的に合わせた摩擦係数の異なる２種類の表面処理を行なうことによって、ゴルフクラブ用ヘッド１における部分的な役割を向上させることができる。
【００２２】
尚、上記実施例では、ソール部分５のうちで接地確率の高い部位のみに高硬度表面処理が施されているので、低摩擦表面処理はソール部分５のうち少なくとも一部に施されれば良いと云うことになるが、図５に示すように、低摩擦表面処理はソール部分５の全面ないしほぼ全面に施されるものであっても良い。
【符号の説明】
【００２３】
１  ヘッド
２  ヘッド本体
３  ホーゼル部分
４  フェース部分
５  ソール部分
６  背面
７  凹部
８  低摩擦表面処理部
９  高摩擦表面処理部
【図１】
0003149719.tif 000003
【図２】
0003149719.tif 000004
【図３】
0003149719.tif 000005
【図４】
0003149719.tif 000006
【図５】
0003149719.tif 000007